(57)【特許請求の範囲】
【請求項１】
脛骨部（１４）と、大腿骨部（１２）と、前記脛骨部（１４）上で相互に回転不能なやり方で配置される半月板部（１６）と、前記脛骨部（１４）を前記大腿骨部（１２）に関着式のやり方で接続するための接続装置（１８）とを有する膝関節内プロテーゼ（１０）であって、
該大腿骨部（１２）が、大腿顆表面（２４、２６）を有する少なくとも１つの大腿顆（２０、２２）を含み、
該半月板部（１６）が、前記大腿骨部（１２）を向くと共に、前記少なくとも１つの大腿顆（２０、２２）の前記大腿顆表面（２４、２６）に触れる少なくとも１つの半月板関節面（１５６、１５８）を有する少なくとも１つの上面（１５４）を含む、
膝関節内プロテーゼにおいて、
前記大腿骨部（１２）と前記脛骨部（１４）とが、互いに対して回転軸（７８）の周りで回転可能であるように装着されること、
前記少なくとも１つの大腿顆（２０、２２）の前記大腿顆表面（２４、２６）と前記少なくとも１つの半月板関節面（１５６、１５８）とが、前記少なくとも１つの大腿顆（２０、２２）の前記大腿顆表面（２４、２６）が球面（２８、３０）の切片を規定するようなやり方で互いに対応して形成されること、及び
前記少なくとも１つの半月板関節面（１５６、１５８）が、前記大腿顆表面（２４、２６）に適合する湾曲した窪み（１６４、１６６）の形態の関節面凹部（１６０、１６２）として形成されること、
を特徴とする膝関節内プロテーゼ。
【請求項２】
請求項１に記載の膝関節内プロテーゼであって、
前記大腿骨部（１２）が、内側大腿顆表面（２４）及び外側大腿顆表面（２６）を規定する内側及び外側大腿顆（２０、２２）を含むこと、
前記半月板部（１６）が、内側及び外側半月板関節面（１５６、１５８）を含むこと、
前記内側大腿顆表面（２４）が、前記内側半月板関節面（１５６）に触れること、
前記外側大腿顆表面（２６）が、前記外側半月板関節面（１５８）に触れること、
を特徴とする膝関節内プロテーゼ。
【請求項３】
請求項２に記載の膝関節内プロテーゼであって、
前記内側大腿顆表面（２４）及び前記外側大腿顆表面（２６）が、同一の又は略同一の大腿顆曲率半径（３６、３８）を有すること、又は
前記内側大腿顆表面（２４）及び前記外側大腿顆表面（２６）が、互いに相違する大腿顆曲率半径（３６、３８）を有すること、及び／又は
前記内側半月板関節面（１５６）及び前記外側半月板関節面（１５８）が、同一の又は略同一の半月板関節面曲率半径（１９２、１９４）を有すること、又は
前記内側半月板関節面（１５６）及び前記外側半月板関節面（１５８）が、互いに相違する半月板関節面曲率半径（１９２、１９４）を有すること、
を特徴とする膝関節内プロテーゼ。
【請求項４】
請求項１〜３のいずれか１項に記載の膝関節内プロテーゼであって、前記少なくとも１つの半月板関節面（１５６、１５８）が、前記回転軸（７８）に関して同軸に又は略同軸に形成されること、を特徴とする膝関節内プロテーゼ。
【請求項５】
請求項１〜４のいずれか１項に記載の膝関節内プロテーゼであって、前記少なくとも１つの半月板関節面（１５６、１５８）が、凹面であると共に、前記回転軸（７８）を含有する任意の切断面において、凸面である前記少なくとも１つの大腿顆（２０、２２）の前記大腿顆表面（２４、２６）の大腿顆曲率半径（３６、３８）に対応する又はほぼ対応する半月板関節面曲率半径（１９２、１９４）を有すること、を特徴とする膝関節内プロテーゼ。
【請求項６】
請求項５に記載の膝関節内プロテーゼであって、
前記回転軸（７８）を含有する任意の切断面の前記半月板関節面曲率半径（１９２、１９４）同士が、同一又は略同一であること、及び／又は
前記外側大腿顆（２２）及び前記内側大腿顆（２０）を規定する前記球面（２８、３０）の２つの中心点（３２、３４）の間隔（４０）が、前記外側大腿顆曲率半径（３８）と前記内側大腿顆曲率半径（３６）との合計よりも小さいこと、
を特徴とする膝関節内プロテーゼ。
【請求項７】
請求項１〜６のいずれか１項に記載の膝関節内プロテーゼであって、
ａ）前記少なくとも１つの半月板関節面（１５６、１５８）と、前記回転軸（７８）を含有する任意の切断面との間の交線の中心点（３２、３４）が、前記回転軸（７８）と同軸である円筒表面上に位置すること、又は、前記中心点（３２、３４）が、前記回転軸（７８）と同軸である円筒表面上に位置すると共に、前記回転軸（７８）に対して交差方向に走る中心点平面上に在ること、及び／又は
ｂ）前記半月板部（１６）が一体に形成されること、及び／又は
ｃ）前記接続装置（１８）が、前記脛骨部（１４）と前記大腿骨部（１２）とが互いに不可分に接続される接続位置を規定すること、及び／又は
ｄ）前記脛骨部（１４）が、前記半月板部（１６）の方向を指す半月板部接触面（９８）を含むこと、及び、前記回転軸（７８）が、前記半月板部接触面（９８）に対して交差方向にもしくは垂直に走ること、
を特徴とする膝関節内プロテーゼ。
【請求項８】
請求項１〜７のいずれか１項に記載の膝関節内プロテーゼであって、
前記脛骨部（１４）と前記大腿骨部（１２）とが、互いに対して蝶番軸（６６）の周りで枢動するように装着されること、
を特徴とする膝関節内プロテーゼ。
【請求項９】
請求項８に記載の膝関節内プロテーゼであって、
前記蝶番軸（６６）が、前記回転軸（７８）に対して交差方向に走ること、
を特徴とする膝関節内プロテーゼ。
【請求項１０】
請求項９に記載の膝関節内プロテーゼであって、
前記蝶番軸（６６）が、前記回転軸（７８）に対して垂直に走ること、
を特徴とする膝関節内プロテーゼ。
【請求項１１】
請求項９又は１０に記載の膝関節内プロテーゼであって、
前記脛骨部（１４）が、前記半月板部（１６）の半月板部下面（１４８）が寄りかかる脛骨表面（９８）を含むこと、及び、前記蝶番軸（６６）が、前記脛骨表面（９８）と平行に又は略平行に走ること、
を特徴とする膝関節内プロテーゼ。
【請求項１２】
請求項１１に記載の膝関節内プロテーゼであって、
前記半月板部（１６）の前記半月板部下面（１４８）が前記脛骨表面（９８）に平面的なやり方で寄りかかること、
を特徴とする膝関節内プロテーゼ。
【請求項１３】
請求項１〜１２のいずれか１項に記載の膝関節内プロテーゼであって、
ａ）前記回転軸（７８）と前記蝶番軸（６６）とが、交差しないこと、及び／又は
ｂ）前記回転軸（７８）が、前記蝶番軸（６６）を含有する平面に対して垂直であること、及び／又は
ｃ）前記接続装置（１８）が、前記脛骨部（１４）と前記大腿骨部（１２）とが前記脛骨上及び前記大腿骨上への埋込み後に互いに接続可能であるようなやり方で形成されること、又は、前記接続装置（１８）が、前記脛骨部（１４）と前記大腿骨部（１２）とが前記脛骨上及び前記大腿骨上への埋込み後に互いに接続可能であるようなやり方で形成されると共に、回転式支承要素（８４）が、前記大腿骨部（１２）を前記回転軸（７８）の周りで回転可能であるように装着するために、前記脛骨部（１４）上に配置、形成、又は保持されること、
を特徴とする膝関節内プロテーゼ。
【請求項１４】
請求項１３に記載の膝関節内プロテーゼであって、
前記回転式支承要素（８４）が、前記回転軸（７８）の周りで回転可能であるように前記脛骨部（１４）上に装着されること、及び／又は
前記脛骨部（１４）が、前記回転式支承要素（８４）が中で保持される回転式支承要素台座（１９８）を含むこと、
を特徴とする膝関節内プロテーゼ。
【請求項１５】
請求項１４に記載の膝関節内プロテーゼであって、
前記回転式支承要素（８４）が、前記回転式支承要素台座（１９８）内で、前記回転軸（７８）と平行な方向に不動であるように装着されること、又は
前記回転式支承要素（８４）が、前記回転式支承要素台座（１９８）内で、前記回転軸（７８）と平行な方向に変位可能であるように装着されること、及び／又は
前記回転式支承要素（８４）と前記回転式支承要素台座（１９８）とが、互いに対して遠位方向及び／又は近位方向に運動することを限定するための止め装置（２００）を備えること、及び／又は
前記回転式支承要素（８４）を前記回転式支承要素台座（１９８）内に固着するための固着装置（２０２）を備えること、及び／又は
前記回転式支承要素（８４）を装着するための前記回転式支承要素台座（１９８）を規定する支承スリーブ（１３４）を備えること、
を特徴とする膝関節内プロテーゼ。
【請求項１６】
請求項１５に記載の膝関節内プロテーゼであって、前記脛骨部（１４）が、前記支承スリーブ（１３４）を収容するための支承スリーブ台座（２０４）を含むこと、を特徴とする膝関節内プロテーゼ。
【請求項１７】
請求項１６に記載の膝関節内プロテーゼであって、
前記固着装置（２０２）が、前記支承スリーブ（１３４）を前記支承スリーブ台座（２０４）内に固着するための固着要素（２０６）を含むこと、及び／又は
前記止め装置（２００）が、前記支承スリーブ（１３４）の前記支承スリーブ台座（２０４）内への挿入深度を限定する止めを含むこと、
を特徴とする膝関節内プロテーゼ。
【請求項１８】
請求項１４〜１７のいずれか１項に記載の膝関節内プロテーゼであって、
前記回転式支承要素台座（１９８）が、遠位方向において閉鎖され、近位方向において開放していること、及び／又は
前記回転式支承要素台座（１９８）が、少なくとも部分的に前記脛骨表面（９８）の上を及び／又は下を延びること、
を特徴とする膝関節内プロテーゼ。
【請求項１９】
請求項１〜１８のいずれか１項に記載の膝関節内プロテーゼであって、前記半月板部（１６）が、全体的に又は部分的にプラスチック材料製であること
を特徴とする膝関節内プロテーゼ。
【請求項２０】
請求項１９に記載の膝関節内プロテーゼであって、前記プラスチック材料が、ポリエチレン（ＰＥ）、超高分子量ポリエチレン（ＵＨＭＷＰＥ）、又はポリエーテルエーテルケトンである、或いはポリエチレン（ＰＥ）、超高分子量ポリエチレン（ＵＨＭＷＰＥ）、又はポリエーテルエーテルケトンを含むこと
を特徴とする膝関節内プロテーゼ。
【発明の詳細な説明】
【技術分野】
【０００１】
本発明は、脛骨部と、大腿骨部と、脛骨部上で相互に回転不能なやり方で配置される半月板部と、脛骨部を大腿骨部に関着式のやり方で接続するための接続装置とを有する膝関節内プロテーゼであって、前記大腿骨部が大腿顆表面を有する少なくとも１つの大腿顆を含み、前記半月板部が大腿骨部を向くと共に、少なくとも１つの大腿顆の大腿顆表面に触れる少なくとも１つの半月板関節面を有する少なくとも１つの上面を含む、膝関節内プロテーゼに関する。
【背景技術】
【０００２】
上記種類の膝関節内プロテーゼが、例えばDE 2 122 390 Aから知られている。この文献は、特に下腿と大腿との間の屈曲を本来の膝関節の屈曲と同様の仕方で実施できるようにするために接続装置が蝶番関節を含む、いわゆる蝶番関節膝プロテーゼに関する。
【０００３】
ところが、本来の膝関節の運動学は単純な蝶番関節よりもはるかに複雑である。このことの結論として、記載した種類の膝関節内プロテーゼを埋め込んだ患者が、可動性の制限を訴えるということになる。
【先行技術文献】
【特許文献】
【０００４】
【特許文献１】DE 2 122 390 A
【発明の概要】
【発明が解決しようとする課題】
【０００５】
それ故に、本発明の目的は上で記載した種類の膝関節内プロテーゼの可動性を改良することである。
【課題を解決するための手段】
【０００６】
本発明によれば、この目的は上で記載した種類の膝関節内プロテーゼにおいて、前記大腿骨部と前記脛骨部とが互いに対して回転軸の周りで回転可能であるように装着され、前記少なくとも１つの大腿顆の前記大腿顆表面と前記少なくとも１つの半月板関節面とは、前記少なくとも１つの大腿顆の前記大腿顆表面が球面の切片を規定する又は球面のほぼ切片を規定するようなやり方で互いに対応して形成され、前記少なくとも１つの半月板関節面が、前記大腿顆表面に適合する湾曲した窪みの形態の関節面凹部として形成されるという点で達成される。
【０００７】
このような膝関節内プロテーゼの場合、特に前記脛骨部と前記大腿骨部とが互いに対して蝶番軸の周りで旋回するだけでなく、回転軸の周りで回転することも可能である。例えば、前記回転軸は前記患者の前記脛骨の長手方向軸にほぼ対応させることができる。従って、前記膝の屈曲と同時に、前記患者の脚部の長手方向軸の周りでの極めて明白な多少の回転をも行うことができる。前記膝関節内プロテーゼの、特にその前記半月板部の摩耗の感じやすさを最小にするために、前記少なくとも１つの大腿顆及び前記少なくとも１つの半月板関節面は、記載した前記やり方で構成することが有利である。従って、特に線形接触を、前記脛骨部と前記大腿骨部との互いに対する屈曲位置又は回転位置とは無関係に、確実にすることができる。従って全体的に見ると、前記脛骨部に固定された前記半月板部と前記大腿骨部との間の特に大きい程度の一致を達成することができる。更に好ましくは、前記回転軸から離れる方へ凸状に湾曲している前記関節面凹部が、所与の角回転範囲にわたって延びることができる。前記大腿骨部と前記脛骨部とが互いに対して前記回転軸の周りで限定的に回転できるようにするために、特に前記角回転範囲は、前記患者に応じて予め決めておくことができる。従って、例えば±２０°の範囲内の又はまさに±１２°の回転を実現することができる。その際、前記湾曲した関節面凹部は、好ましくは所望の前記角回転範囲に対応する弧長を有する。前記窪みのその曲率に対して交差方向である断面を、特に円形とすることができ又は楕円形とすることさえできる。前記半月板部は、特に反捩れ配置構成によって、前記脛骨部との回転から保護することができる。別法として又は付加的に、前記半月板部を前記脛骨部に相互に回転不能なやり方で又は完全に不動のやり方で固定するには、スナップ作用、ねじ作用、又は、或るその他の形態の接続機構を実現することもできよう。
【０００８】
前記大腿骨部が、内側大腿顆表面及び外側大腿顆表面を規定する内側及び外側大腿顆を含み、前記半月板部が内側及び外側半月板関節面を含み、前記内側大腿顆表面が前記内側半月板関節面に触れ、前記外側大腿顆表面が前記外側半月板関節面に触れることが好都合である。その際、特に大腿骨部が、記載したやり方で２つの大腿顆を装備することが可能であり、前記大腿骨部と前記半月板部との間には、２つの接触帯又は接触領域が規定される。前記２つの大腿顆表面を球面の切片の前記形態に設計することにより、特に前記大腿骨部と前記半月板部との間の少なくとも１つの線形接触が、前記外側側面と前記内側側面の両方に得られることが可能になる。
【０００９】
好ましくは、前記内側大腿顆表面及び前記外側大腿顆表面が、同一の又は略同一の大腿顆曲率半径を有する。これによって、特に前記大腿顆を、前記回転軸を含有する対称面に関して略対称であるように構成することが可能である。これに対応するやり方で、前記半月板部をも、前記回転軸を含有する対称面に関して対称であるように形成することができる。このことにより、前記半月板部の前記構成だけでなくその製造も簡素化される。
【００１０】
前記内側大腿顆表面及び前記外側大腿顆表面が、互いに相違する大腿顆曲率半径を有すると更に有利である。特にこのことにより、前記大腿骨部上の前記大腿顆を異なった寸法にして構成することができる。従ってその際、特に本来の大腿骨に特別に近づく大腿骨部を製造することができる。例えば、前記大腿骨部と前記半月板部との間に極力大きい接触を達成するために、前記膝の運動により最も激しく負荷される大腿顆表面を、大きめの大腿顆曲率半径で形成することができ、これによって、特に摩耗を、特に前記半月板部の摩耗を最小にすることができる。
【００１１】
前記内側半月板関節面及び前記外側半月板関節面が、同一の又は略同一の半月板関節面曲率半径を有すると更に好都合である。その際このような配置構成は、特に前記内側及び外側大腿顆表面も同一の又は略同一の大腿顆曲率半径を有する際に有利である。それ故に、前記内側側面と前記外側側面の両方に線形接触又は略線形接触を、具体的に言えば前記大腿骨部と前記脛骨部との間の屈曲角度及び／又は回転角度に応じて、達成することができる。
【００１２】
更に前記内側半月板関節面及び前記外側半月板関節面が、互いに相違する半月板関節面曲率半径を有すると有利なことがある。特に前記半月板関節面曲率半径は、前記半月板部の前記回転軸を含有する切断面との交線の曲率半径として規定することができる。半月板部の前記構成と前記大腿顆表面の構成との間が対応していることに起因して、前記半月板関節面は、好ましくは前記半月板部から離れる方へ凹状に湾曲している。
【００１３】
好ましくは前記少なくとも１つの半月板関節面は、前記回転軸に関して同軸に又は略同軸に形成される。従って、特に前記関節面凹部を、前記回転軸と同軸である湾曲した窪みの前記形態にすることができる。このようにして、前記大腿骨部が前記脛骨部に対して回転する際、前記少なくとも１つの大腿顆を前記中空の半月板関節面内へ案内することができる。それ故に、特に前記大腿骨部と前記脛骨部との互いに対する屈曲位置及び回転位置とは無関係に、例えば前記少なくとも１つの大腿顆の前記大腿顆表面を前記少なくとも１つの半月板関節面上で最適に接触させること、例えば少なくとも線形接触を達成することができる。
【００１４】
本発明の更なる好適な実施形態によれば、前記少なくとも１つの半月板関節面が、前記半月板部から離れる方を指す方向へ凹状に湾曲していると共に、前記回転軸を含有する任意の切断面において、前記大腿骨部から離れる方を指す方向に凸状に湾曲している前記少なくとも１つの大腿顆の前記大腿顆表面の大腿顆曲率半径に対応する又はほぼ対応する半月板関節面曲率半径を有することを実現することができる。特に前記半月板関節面曲率半径と前記大腿顆曲率半径とが合致する場合、前記大腿骨部の前記半月板部上での線形接触を、特に前記大腿骨部と前記脛骨部との互いに対する回転位置及び／又は屈曲位置とは無関係に確実にすることができる。
【００１５】
好ましくは、前記回転軸を含有する任意の切断面の前記半月板関節面曲率半径同士は、同一又は略同一とすることができる。従って、特に前記大腿骨部の前記半月板部上での線形接触を、回転位置とは無関係に達成することができる。別法として、前記曲率半径を、前記大腿骨部と前記脛骨部との間の回転角度位置に応じて増減することもできよう。更に、前記半月板関節面の曲率を、切断面において変化させることもできよう。従って、例えば前記半月板部の前記切断面との交線を、必ずしも円弧の切片の前記形態にする必要はないが、別法として楕円の切片とすることもできよう。
【００１６】
前記膝関節内プロテーゼが極力高い負荷に耐えることができるようにするために、前記外側大腿顆及び前記内側大腿顆を規定する前記球面の２つの中心点の間隔が、前記外側大腿顆曲率半径と前記内側大腿顆曲率半径との合計よりも小さいと好都合である。換言すれば、前記２つの大腿顆により規定される前記球面は交差する。前記大腿顆曲率半径が大きければ大きいほど、前記大腿骨部と前記半月板部との触れ線が長くなる。これらの線が長ければ長いほど、好ましくはプラスチック材料から形成される前記半月板部の前記摩耗が小さくなる。
【００１７】
前記少なくとも１つの半月板関節面と、前記回転軸を含有する任意の切断面との間の交線の中心点が、前記回転軸と同軸である円筒表面上に位置すると有利である。それ故に、これらの中心点は全て前記回転軸から同じ距離のところにある。一方、任意で前記半月板関節面により規定される前記関節面凹部を、深度の点で前記回転軸と平行に変動させることができる。換言すれば、前記中心点は全て必ずしも１平面内になくてよい。むしろ、前記中心点の前記位置を、前記それぞれの切断面の回転角度に応じて、前記回転軸と平行な方向に変動させることができる。従って、例えば回転位置が０°の場合、前記関節面凹部は前記大腿骨部と前記脛骨部との間の最小間隔を規定することができるが、偏位が増加するにつれて、間隔が大きくなる又はなお増加する。特にこのことは、前記膝が多少自動的にその中間的な回転位置へと戻るのを助けることができる。
【００１８】
好都合なことに、前記中心点は前記回転軸に対して交差方向に、特に垂直に走る中心点平面上に在る。例えば、前記中心点平面は前記半月板部が寄りかかる脛骨表面と平行に走ることができる。任意で、前記中心点平面はこの脛骨表面に対して傾けることもできよう。
【００１９】
前記膝関節内プロテーゼは、前記半月板部が一体に形成される場合、特別に安定したやり方で構成することができる。
【００２０】
有利なことに、前記接続装置は前記脛骨部と前記大腿骨部とが互いに不可分に接続される接続位置を規定する。このようにして、特に前記膝の脱臼、即ち、前記大腿骨部と前記脛骨部とが互いから意図せず脱離しないようにすることができる。このような脱臼の場合、特に前記大腿骨部と前記半月板部との間の接触が断たれ、規定しないやり方で互いに作用し得、これによって、特に前記半月板部が容易に損傷し得るという虞がある。
【００２１】
前記脛骨部が、前記半月板部の方向を指す半月板部接触面を含み、前記回転軸が前記半月板部接触面に対して交差方向に、特に垂直に走ると好都合である。このようにして、特に力を前記患者の前記下腿により規定される長手方向軸の方向に前記大腿骨部から前記半月板部まで、その後、この半月板部を介して前記脛骨部まで、伝達することが可能である。特に前記脛骨部が、前記脛骨の髄腔内に挿入することのできるシャフトを含む又はこのようなシャフトに接続される場合、前記大腿骨部から前記脛骨まで力を送達することができる。
【００２２】
好ましくは、前記脛骨部と前記大腿骨部とが互いに対して蝶番軸の周りで枢動するように装着される。前記蝶番軸により、特に前記脛骨部と前記大腿骨部と間の曲げ運動を単純なやり方で許容することが可能になる結果、全体的に見て、前記膝関節内プロテーゼは、前記膝の事実上の本来の曲げ運動を想定することができる。
【００２３】
前記蝶番軸が前記回転軸に対して交差方向に走ると好都合である。特に蝶番軸は、前記回転軸に対して垂直に走ることができる。更に前記回転軸は、前記蝶番軸に関して前方向に、例えば前記膝関節内プロテーゼの前面領域を通って変位するように走ることができる。特に相互に協働する前記接続装置の要素同士が容易にアクセス可能であり互いの係合状態へと運動可能であるような仕方で前記脛骨部と前記大腿骨部とを互いに無関係に位置決めできることから、この配置構成は、前記膝関節内プロテーゼを埋め込む工程が著しく簡素化されるという利点を有する。
【００２４】
本発明の更なる好適な実施形態によれば、前記半月板部の半月板部下面が特に平面的なやり方で当接する脛骨表面を前記脛骨部が含み、前記蝶番軸が前記脛骨表面と平行に又は略平行に走ることを実現することができる。この配置構成により、特に前記半月板部に作用する力を前記大腿骨部から前記脛骨部へと最適に逸らすことが可能になる。更に前記脛骨部の前記特別な設計に起因して、外科医は前記埋込み工程中、前記膝関節内プロテーゼが、残りの前記大腿骨及び前記脛骨の残部に前記所望の仕方で接続されるかどうかを単純かつ確かなやり方で評価することができる。
【００２５】
前記回転軸と前記蝶番軸とが互いに対して傾斜していることが好都合である。従って換言すれば、回転軸と蝶番軸とは交差しない。特にこのことにより、前記回転軸を前記蝶番軸に対して前記前方向にずらすことができるのであり、このことは、前記膝関節内プロテーゼの前記埋込み中に前記接続装置を形成する前記部品及び要素を係合状態にする前記工程を簡素化する。
【００２６】
前記回転軸が、前記蝶番軸を含有する平面に対して垂直であることが有利である。特にこのことにより、一方で、前記大腿骨部と前記脛骨部とが前記回転軸の周りで回転することができ、他方で、回転軸に対して垂直に走る前記蝶番軸の周りでの搖動運動を有することが可能になる。
【００２７】
特に前記脛骨部と前記大腿骨部とが前記脛骨上及び前記大腿骨上への埋込み後に互いに接続可能であるようなやり方で前記接続装置が形成されるという点で、前記膝関節内プロテーゼの前記埋込みが簡素化される。このようにして、特に患者の前記脛骨及び前記大腿骨に前記脛骨部及び前記大腿骨部を互いに無関係に接続し、前記２つの骨の適切な調整後に脛骨部と大腿骨部とを共に接続のみすることがこれによって可能である。
【００２８】
前記大腿骨部を前記回転軸の周りで回転可能であるように装着する目的で、前記脛骨部上に回転式支承要素が配置、形成、又は保持される場合、前記脛骨部と前記大腿骨部とが互いに対して前記回転軸の周りで回転することが、単純なやり方で可能になる。例えば、前記回転式支承要素は回転対称なピンの前記形態とすることができる。
【００２９】
特に前記回転式支承要素が、前記回転軸の周りで回転可能であるように前記脛骨部上に装着されるという点で、前記膝関節内プロテーゼの前記埋込みを更に簡素化することができる。従って、例えば前記回転式支承要素の前記設計に応じて、前記膝関節内プロテーゼの安定性をも改良することができる。
【００３０】
前記回転式支承要素が中で保持される回転式支承要素台座を前記脛骨部が含むと有利である。このようにして、特に前記回転式支承要素と前記脛骨部との間の安定した接続を達成することができる。特に前記回転式支承要素は、前記脛骨部の前記回転式支承要素台座内に、前記回転軸の周りで回転可能であるように装着することができる。
【００３１】
特別に安定した膝関節内プロテーゼを形成する目的で、前記回転式支承要素が前記回転式支承要素台座内で、前記回転軸と平行な方向に不動であるように装着されることが好都合である。このようにして、前記大腿骨部と前記脛骨部とが互いから離れる方へ運動することは不可能になる。特にこれによって、前記膝関節内プロテーゼの脱臼を単純なやり方で防止することができる。
【００３２】
更に、前記回転式支承要素が前記回転式支承要素台座内で、前記回転軸と平行な方向に変位可能であるように装着されると好都合なことがある。このような配置構成は、特に前記大腿骨部と前記脛骨部とが互いに対して前記回転軸と平行に或る程度運動することが望ましい場合に有利である。特にこのことは実際に、前記半月板関節面曲率半径の前記中心点同士が平面内にない場合に必要なことがある。この場合、前記大腿骨部と前記脛骨部とが互いに対して回転することに起因して前記大腿骨部と前記半月板部とが引っ掛からないようにするために、前記大腿骨部と前記脛骨部とが互いに対して前記回転軸と平行に或る程度可動性であることが実際に必要である。
【００３３】
本発明の更なる好適な実施形態によれば、前記回転式支承要素と前記回転式支承要素台座とが互いに対して遠位方向及び／又は近位方向に運動することを限定するための止め装置を前記膝関節内プロテーゼが含むことを実現することができる。特に前記大腿骨部と前記脛骨部とが互いに向かって及び／又は互いから離れる方へ運動することを、このような止め装置の助けを借りて限定することができる。従って、一方で、特に前記膝関節内プロテーゼの脱臼に対する保護を提供する手段を達成することができ、他方で、前記半月板部への負荷を限定することができる。
【００３４】
前記回転式支承要素が前記回転式支承要素台座から、意図しない又は不用のやり方で後退できないようにするために、前記膝関節内プロテーゼが前記回転式支承要素を前記回転式支承要素台座内に固着するための固着装置を含むと好都合である。
【００３５】
好ましくは、前記膝関節内プロテーゼは前記回転式支承要素を装着するための支承スリーブを含み、この支承スリーブが前記回転式支承要素台座を規定する。特に前記部品同士が互いに対して前記回転軸と平行に運動することを選択的に許容又は防止するために、このような支承スリーブにより、特に前記回転式支承要素を前記脛骨部の凹部内に、変位可能なやり方で配置、保持、又は装着することが可能になる。
【００３６】
更に前記脛骨部が、前記支承スリーブを収容するための支承スリーブ台座を含むと好都合なことがある。前記支承スリーブ台座により、特に前記支承スリーブを前記脛骨部上で、前記回転軸と平行な、十分な長さ部分にわたって支持することが可能になる。
【００３７】
更に前記固着装置が、前記支承スリーブを前記支承スリーブ台座内に固着するための固着要素を含むと有利である。このような固着装置により、特に前記膝関節内プロテーゼの脱臼を防止することが可能になる。
【００３８】
好都合なことに、前記止め装置は、前記支承スリーブの前記支承スリーブ台座内への挿入深度を限定する止めを含む。特にこれによって、前記大腿骨部と前記脛骨部との間の最小間隔を、単純なやり方で予め規定しておくことができる。
【００３９】
前記回転式支承要素台座が、遠位方向において閉鎖され、近位方向において開放していると有利である。これによって、一方で、前記回転式支承要素台座は、止めを形成し、前記大腿骨部と前記脛骨部とが互いに向かって運動することを限定することができる。他方で、前記大腿骨部と又はこの大腿骨部に関着されて前記蝶番軸の周りで枢動する接続要素と直接係合状態になるようにするために、前記配置構成が近位方向において開放していることに起因して、前記回転式支承要素が、前記回転式支承要素台座から突出することが可能であり、特に上述の前記脛骨表面を越えて突き出すことも可能である。
【００４０】
前記膝関節内プロテーゼの前記安定性を改良するために、特に前記回転式支承要素台座が、少なくとも部分的に前記脛骨表面の上を及び／又は下を延びると好都合である。
【００４１】
金属部分同士が突き当たらないようにするために、前記半月板部が全体的に又は部分的にプラスチック材料製であることが好都合である。
【００４２】
前記プラスチック材料が、ポリエチレン（ＰＥ）、超高分子量ポリエチレン（ＵＨＭＷＰＥ）、又はポリエーテルエーテルケトンである、又はポリエチレン、超高分子量ポリエチレン、又はポリエーテルエーテルケトンを含むと特に有利である。このようなプラスチック材料は、特に許容されたインプラント材料であることが証明されるのであり、前記膝関節内プロテーゼの摩耗を最小にするために、製造される仕方に応じて所望の摩耗抵抗を呈する。
【００４３】
本発明の好適な実施形態の以下の記載は、図面と合わせて解釈すれば、より詳細な説明を提供するように働く。
【図面の簡単な説明】
【００４４】
【図１】膝関節内プロテーゼの例示的な実施形態の略分解斜視図。
【図２】図１に表す膝関節内プロテーゼの脛骨部に固定された半月板部の部分断面斜視図。
【図３】大腿骨部、半月板部、及び脛骨部を組み込む、図１に表す組立て済みの膝関節内プロテーゼの後方向から見えるように部分的に切欠いた略全体図。
【図４】図１に表す膝関節内プロテーゼの部分切欠側面図。
【図５】図１に表す膝関節内プロテーゼが伸長位置にあるときの大腿骨部の、後部からの平面図。
【図６】図１に表す膝関節内プロテーゼの、後部からの、即ち図４の矢印Ａの方向における、及び図７の矢印Ｂの方向における、部分切欠図。
【図７】図１に表す膝関節内プロテーゼの、伸長位置にあるときの半月板部の平面視における部分切欠図。
【図８】長手方向軸と同軸に形成された窪み内に案内される２つのボールの略図。
【発明を実施するための形態】
【００４５】
図１に、膝関節内プロテーゼをその個々の部品と共に例示的に示し、全体的に参照記号１０で表す。膝関節内プロテーゼは、患者の大腿骨に固定することのできる、シャフトのある又はシャフトのない大腿骨部１２と、患者の脛骨に固定することのできる脛骨部１４と、脛骨部１４上で大腿骨部１２と脛骨部１４との間に、少なくとも相互に回転不能なやり方で配置される半月板部１６とを含む。更に膝関節内プロテーゼ１０は、大腿骨部１２と脛骨部１４とを互いに接続することのできる複数の部品を含む接続装置１８を含む。
【００４６】
大腿骨部１２は、内側大腿顆２０及び外側大腿顆２２を含む。これらの大腿顆は、大腿骨部１２の関節面、具体的には内側大腿顆表面２４及び外側大腿顆表面２６を形成する。
【００４７】
内側大腿顆表面２４と外側大腿顆表面２６の両方は、ボール中心点３２及び３４を規定するそれぞれの球面２８及び３０の切片を形成する。図に示す例示的な実施形態において、内側大腿顆表面２４の内側大腿顆曲率半径３６が、外側大腿顆表面２６の外側大腿顆曲率半径３８に対応する。ボール中心点３２及び２４の間隔４０は、内側大腿顆曲率半径３６及び外側大腿顆曲率半径３８の合計よりも小さい。
【００４８】
２つの大腿顆２０及び２２間には、相互に平行な側壁４２及び４４と境を接している凹部４６が形成される。この凹部は、後ろをカバー壁４８により閉鎖される。
【００４９】
カバー壁４８は、若干狭めの溝穴５２に直接隣接する開口５０を含む。溝穴５２はほぼ、前後方向に延びる。側壁４２及び４４は、カバー壁４８と共に枢動ピン５６用の関節箱５４を形成する。
【００５０】
側壁４２及び４４は各々、関節シャフト６２が中に挿入されるそれぞれの開口５８及び６０を含む。枢動ピン５６は、それによって規定される長手方向軸に沿って延びる交差方向穿孔６４を有し、前記穿孔は蝶番軸６６を規定すると共に、関節シャフト６２を収容するように働く。関節シャフト６２にはその一端に、側壁４２の開口５８内に形成される雌ねじ７０に対応する短い雄ねじ区域６８を設けることができる。従って、全体的に見ると、大腿骨部１２と枢動ピン５６との間に蝶番関節１９６が形成される。
【００５１】
関節シャフト６２の他端は、半径方向で蝶番軸６６から離れる方へ延びて、側壁４４内に形成された凹部内に確実に係合するリングフランジ７２を含む。更に、リングフランジ７２の設けられた関節シャフト６２の端部は、例えば多葉形の内蔵式駆動特性の形態である道具要素台座を含み、適切な閉塞プラグ７４により閉鎖される。
【００５２】
枢動ピン５６は、記載したやり方で蝶番軸６６の周りで枢動するように凹部４６内に装着される。蝶番軸６６は、ボール中心点３２及び３４の接続線と平行に又は略平行に走る。
【００５３】
更に枢動ピン５６内に、交差方向穿孔６４を基準にして前方向に走る長手方向開口７６が形成される。この開口は、膝関節内プロテーゼ１０の回転軸７８を規定する。
【００５４】
長手方向開口７６は、半月板部１６の方向を指す端部８０から開始し、回転対称である回転式支承要素８４の円錐状区域８２に対応する内的錐体の形態である。
【００５５】
好ましくは、回転式支承要素８４と枢動ピン５６との間の自動ロック式である錐体緊締作用を確実にするために、回転式支承要素８４の円錐状区域８２に一方の側で隣接しており、図には示さない止めナットを上にねじ付けることのできる、若干低減した外径の雄ねじ区域８６がある。理想的には、雄ねじ区域８６は長手方向開口７６から突き出さないような寸法にされる。
【００５６】
円錐状区域８２には、直径が太い方のその端部にて、約３倍長い円筒区域８８が隣接する。脛骨部１４の方向には、回転式支承要素８４の一端を形成する更なる円筒区域９０がある。円筒区域９０は円筒区域８８よりも若干大きい外径である結果、回転式支承要素８４が回転軸７８と平行に運動することを限定するために、大腿骨部１２の方向を指す止め装置２００の環状の止め面９２が形成される。
【００５７】
脛骨部１４は、大腿骨部１２の方向を向いて平坦な脛骨表面９８を規定する上面９６を有するプレート９４を含む。プレート９４の下面１００には、図には示さないシャフトを用いてモジュール式のやり方で任意で伸ばすことのできる短いシャフト支持体１０２が形成される。
【００５８】
脛骨表面９８から大腿骨部１２の方向に、短いスリーブ形の支持体１０４が延びる。特に図７において容易に認めることができるように、この支持体は非円形の外側輪郭１０６を有する。
【００５９】
脛骨部１４内には、大腿骨部１２の方向を指す端部１０８から開始して、回転軸７８と同軸であり、大腿骨部１２の方向を向く基部１１２を含む盲穴１１０が形成される。盲穴１１０の内側には支持体１０４の領域において、錠止スリーブ１１８の雄ねじ区域１１６に対応する短い雌ねじ区域１１４が形成される。
【００６０】
錠止スリーブ１１８は、錠止スリーブ１１８が支持体１０４内にねじ込まれる際に支持体１０４の端部１０８に突き当たる止めを形成するような寸法にされた外径を有する環状のフランジ付き端部１２０を有する。錠止スリーブ１１８の長さは、脛骨表面９８から隆起する支持体１０４の高さよりもほんの僅かだけ大きい。
【００６１】
雄ねじ区域１１６に隣接して、支持体１０４の領域内で盲穴１１０の内径に適合する外径を有する短い円筒形のスリーブ区域１２２がある。
【００６２】
錠止スリーブ１１８が盲穴１１０内にねじ込まれる際、錠止スリーブの大腿骨部１２から離れる方へ向けられる端部１２４は、盲穴１１０の環状凹部１２６までほぼ到達する。凹部１２６の領域では、盲穴１１０の内径は若干低減するのであり、短い中空円筒形の壁区域１２８が規定される。壁区域１２８に更なる凹部１３０が続き、盲穴１１０の内径はその領域においてここでも低減する。盲穴１１０は、基部１１２の方向において中空円筒形の開口１３２の形態である。
【００６３】
更に、大腿骨部１２と脛骨部１４とを確実に接続する目的で、接続装置１８は回転軸７８に関して回転対称である支承スリーブ１３４を含む。この支承スリーブは、大腿骨部１２の方向に配向された端部１３６から開始して、それより大きい外径の短い第２スリーブ区域１４０が隣接する第１スリーブ区域１３８を含む。次に、この第２スリーブ区域に支承スリーブ１３４の他端１４４まで延びる第３スリーブ区域１４２が隣接する。第３スリーブ区域１４２の外径は、第１スリーブ区域１３８の外径よりも若干大きいが、第２スリーブ区域１４０の外径よりも若干小さい。
【００６４】
支承スリーブ１３４はその内側に、端部１４４の方向へ単一段の形態に広がって回転式支承要素台座１９８を規定する内径を第２スリーブ区域１４０の領域に有する、回転対称である長手方向開口１４６を含む。
【００６５】
半月板部１６は、平坦であると共に、半月板部接触面を規定する脛骨表面９８に平面的なやり方で押し当たる半月板部下面１４８を含む。更に半月板部１６には、支持体１０４の外側輪郭１０６に適合する内側輪郭１５２を有する開口１５０が設けられる。このようにして、半月板部１６は脛骨部１４に上から置くことができるのであり、非円形である形状、及び外側輪郭１０６、並びに相応に形成された内側輪郭１５２に起因して、脛骨部１４上で回転しないようにされるのであり、即ち相互に回転不能なやり方で固定される。
【００６６】
半月板部１６の上面１５４は内側半月板関節面１５６及び外側半月板関節面１５８を含む。半月板関節面１５６及び１５８は、大腿顆表面２４及び２６に適合するのであり、好ましくは大腿顆曲率半径３６及び３８に対応する内側及び外側半月板関節面曲率半径１９２及び１９４を有する。
【００６７】
半月板関節面１５６及び１５８は、互いから空間的に離間する短い湾曲した窪み１６４及び１６６の形態である内側及び外側関節面凹部１６０及び１６２を規定する。２つの窪み１６４及び１６６の各々は、２つの大腿顆２０及び２２のうちの１つを装着し案内するように働く。
【００６８】
窪み１６４及び１６６は、回転軸７８に関して回転軸から離れる方を指す方向に凸状に湾曲しており、回転軸の周りを同軸に走る。回転軸を含有する切断面１６８及び１７０を包含する区域において、窪み１６４及び１６６は、大腿顆曲率半径３６及び３８にそれぞれ対応する半径１７２及び１７４を有する円弧の切片を規定する。従って、窪み１６４及び１６６は、回転軸７８に関して同軸に走る、半月板部１６の上面１５４上にある中空円筒形の切片の形態である。大腿骨部１２の大腿顆表面２４及び２６が半月板関節面１５６及び１５８に寄りかかる際、窪み１６４及び１６６により規定される円弧の切断面１６８及び１７０を包含する切片の中心点が、大腿顆２０及び２２のボール中心点３２及び３４と一致する。
【００６９】
窪み１６４及び１６６は平坦ではなく、少なくとも１つの極小を有する。具体的に言えば、大腿顆２０及び２２がそれぞれ窪み１６４及び１６６の極小に位置する際に、一方で２つの大腿顆２０及び２２の対称面、並びに、他方で脛骨部１４の対称面が、互いに平行に整列し任意で互いに一致するような仕方である。今度は、膝関節内プロテーゼ１０が適所に装着されると、大腿骨部１２は、図７に概略的に示すこの基本位置から出発して、半月板部１６に対して矢印１７６及び１７８の方向に、従って脛骨部１４に対しても回転軸７８の周りで内側又は外側方向に捩ることができ又は制限された角度範囲内で回転することができる。
【００７０】
半月板関節面１５６及び１５８の半月板部下面１４８からの間隔、及び大腿顆表面２４及び２６の半月板部下面からの間隔は、好ましくは基本位置から開始して内側及び外側方向に増加するのであり、大腿骨部１２と脛骨部１４とが互いに対して相応に回転する結果として、大腿骨部１２は脛骨部１４から若干遠ざかる。
【００７１】
図８に、大腿顆２０及び２２と、半月板部１６の半月板関節面１５６及び１６８との間の協働を概略的に示す。図８に概略的に示す半月板部１６ａは、中空円筒形の凹部の形態である窪み１６４ａを含むのであり、半月板部１６ａの関節面凹部１６０ａを形成する。
【００７２】
窪み１６４ａの内径１８０は、この略図において大腿顆を表す窪み１６４ａ内を案内される２つのボール１８４の半径１８２に対応する。内径１８０と半径１８２とが同一である場合、このことにより回転軸７８ａを含有する切断面１８６と半月板部１６ａとの間の交線により規定される、円弧の切片に沿った線形接触が生じる。
【００７３】
窪み１６４ａが回転軸７８ａに対して同軸に整列していることに起因して、両方のボール１８４は最適に案内され、これらのボールにより、最適な接触を得ることができ、従って、特にボール１８４と半月板部１６ａの窪み１６４ａとの間に、最大にされた接触領域又は接触線を得ることができる。
【００７４】
大腿顆２０及び２２と半月板関節面１５６及び１５８との間の協働は、ボール１８４と窪み１６４ａとの間の協働に対応する。このようにして、蝶番関節を含むうえに、大腿骨部１２と脛骨部１４とを回転軸７８の周りで回転できるようにもする膝関節内プロテーゼ１０を製造することが可能であるが、これは半月板部１６が脛骨部１４上に、相互に回転不能なやり方で配置される場合である。
【００７５】
膝関節内プロテーゼ１０を埋め込むには、以下のように進められる。
【００７６】
初めに、大腿骨部１２及び脛骨部１４が、適切に準備された患者の大腿骨及び脛骨に固定される。これによって、大腿骨部１２は既に上に記載した仕方で、接続装置１８の枢動ピン５６に関着式のやり方で連結しておかれる。
【００７７】
次のステップにおいて、脛骨部１４上に半月板部１６を置くことができる。
【００７８】
その後、大腿骨部１２と脛骨部１４とを互いに接続する目的で、回転式支承要素８４の円筒区域９０が、盲穴１１０内へと前方へ挿入される。その後、支承スリーブ１３４はその先にある端部１４４が回転式支承要素８４に押し被せられ、盲穴１１０内へと挿入されるが、具体的に言えばこれは第２スリーブ区域１４０が凹部１３０に突き当たるまでである。
【００７９】
次に、錠止スリーブ１１８はその先にある端部１２４が、支持体１０４内へと挿入されてこの支持体にねじ付けられる。錠止スリーブ１１８は、支承スリーブ台座２０４を規定する盲穴１００内に回転式支承要素８４を固着するための固着装置２０２の固着要素２０６を形成する。その際、錠止スリーブ１１８の端部１２４は第２スリーブ区域１４０に当接し、この第２スリーブ区域が軸方向に運動しないようにする。
【００８０】
回転式支承要素８４は、軸方向に若干運動可能である。その運動の最大程度は、止め装置２００により限定される。この止め装置は、止めとして働く基部１１２を含む。特に運動の最大程度は、基部１１２と、円筒区域９０用の止め装置２００の更なる止めとして働く、支承スリーブ１３４の内側の凹部１３０との間の間隔により規定される。従って、一方で、回転式支承要素８４は基部１１２に突き当たり、大腿骨部１２が脛骨部１４の方向に運動することを制限することができ、他方で、止め面９２は支承スリーブ１３４の内側の凹部に突き当たり、大腿骨部１２が脛骨部１４から離れる方へ運動することを限定することができる。
【００８１】
回転式支承要素８４が、記載したやり方で脛骨部１４に固着される際、回転式支承要素８４はその先にある雄ねじ区域８６を、長手方向開口７６の端部８０を通して枢動ピン５６内に挿入することができる。枢動ピン５６と回転式支承要素８４とは、円錐状区域８２と、枢動ピン５６内の対応する内部錐体区域との間の自動ロック式の円錐状緊締効果により、互いにしっかりと接続される。記載したように、円錐状緊締効果を確実にする目的で、雄ねじ区域８６に任意で止めナットをねじ付けることができる。
【００８２】
記載した膝関節内プロテーゼ１０は、半月板部１６が固定されたいわゆる「回転する蝶番」膝を形成する。というのも、前に説明したように半月板部１６は脛骨部１４に対して捩ることができないからである。
【００８３】
接続装置１８は、大腿骨部１２の大腿顆２０及び２２が半月板部１６の半月板関節面１５６及び１５８から跳ね出ることができないようにする脱臼保護配置構成を形成する。
【００８４】
大腿骨部１２と脛骨部１４とが互いに対して回転軸７８の周りで回転する可能性にもかかわらず、大腿顆２０及び２２、並びに対応する半月板関節面１５６及び１５８の特別な構造に起因して、損耗を最小にすることができる。
【００８５】
図１〜図７に示す例示的な実施形態において、大腿骨部１２が脛骨部１４に対して回転軸７８の周りで偏位する場合、窪み１６４又は１６６の半月板部下面１４８に関する変動深度は靱帯張力を更に増加させるため、回転軸７８の周りでの回転が例えば±２０°の角度範囲内、特に±１２°である場合であっても、膝の外側靱帯の一部を含む患者の靱帯系が依然として残存していれば、埋め込まれた膝が更に安定する。
【００８６】
膝関節内プロテーゼ１０は、好ましくは半月板部１６に至るまで、人体に適合する金属製である。膝関節内プロテーゼは、部分的にインプラント鋼、又は、チタン又はチタン合金から形成することができる。特に半月板部１６はポリエチレン、特に高分子量ポリエチレン（ＵＨＭＷＰＥ）から形成することができる。
【符号の説明】
【００８７】
１０  膝関節内プロテーゼ
１２  大腿骨部
１４  脛骨部
１６  半月板部
１８  接続装置
２０  内側大腿顆
２２  外側大腿顆
２４  内側大腿顆表面
２６  外側大腿顆表面
２８  球面
３０  球面
３２  ボール中心点
３４  ボール中心点
３６  内側大腿顆曲率半径
３８  外側大腿顆曲率半径
４０  間隔
４２  側壁
４４  側壁
４６  凹部
４８  カバー壁
５０  開口
５２  溝穴
５４  関節箱
５６  枢動ピン
５８  開口
６０  開口
６２  関節シャフト
６４  交差方向穿孔
６６  蝶番軸
６８  雄ねじ区域
７０  雌ねじ
７２  リングフランジ
７４  プラグ
７６  長手方向開口
７８  回転軸
８０  端部
８２  円錐状区域
８４  回転式支承要素
８６  雄ねじ区域
８８  円筒区域
９０  円筒区域
９２  止め面
９４  プレート
９６  上面
９８  脛骨表面
１００  下面
１０２  シャフト支持体
１０４  支持体
１０６  外側輪郭
１０８  端部
１１０  盲穴
１１２  基部
１１４  雌ねじ区域
１１６  雄ねじ区域
１１８  錠止スリーブ
１２０  端部
１２２  スリーブ区域
１２４  端部
１２６  凹部
１２８  壁区域
１３０  凹部
１３２  開口
１３４  支承スリーブ
１３６  端部
１３８  第１スリーブ区域
１４０  第２スリーブ区域
１４２  第３スリーブ区域
１４４  端部
１４６  長手方向開口
１４８  半月板部下面
１５０  開口
１５２  内側輪郭
１５４  上面
１５６  内側半月板関節面
１５８  外側半月板関節面
１６０  内側関節面凹部
１６２  外側関節面凹部
１６４  窪み
１６６  窪み
１６８  切断面
１７０  切断面
１７２  半径
１７４  半径
１７６  矢印
１７８  矢印
１８０  内径
１８２  半径
１８４  ボール
１８６  切断面
１９２  内側半月板関節面曲率半径
１９４  外側半月板関節面曲率半径
１９６  蝶番関節
１９８  回転式支承要素台座
２００  止め装置
２０２  固着装置
２０４  支承スリーブ台座
２０６  固着要素
【図１】
0006574204.tif 000002
【図２】
0006574204.tif 000003
【図３】
0006574204.tif 000004
【図４】
0006574204.tif 000005
【図５】
0006574204.tif 000006
【図６】
0006574204.tif 000007
【図７】
0006574204.tif 000008
【図８】
0006574204.tif 000009